(57)【特許請求の範囲】
【請求項１】
浴室壁面に個々に固定される左右一対のシャワーフックと、これらのシャワーフックの上部壁面にシャワーフックとは別体として固定される棚とを備え、上記シャワーフックが、フック部と、このフック部を壁面から離間させる延出部とを有し、上記棚が上記延出部直上を覆い、上記棚の浴室側の縁部が左右のフック部先端を結ぶ直線または曲線を構成する浴室ユニット。
【請求項２】
請求項１において、棚の両側端部側に左右一対のシャワーフックの延出部側面を覆う垂下壁を有する浴室ユニット。
【発明の詳細な説明】
【技術分野】
【０００１】
本発明は、浴室ユニット、特に棚及びシャワーフックを備えた浴室ユニットに関する。
【背景技術】
【０００２】
浴室ユニットは、短期間で浴室を施工することを目的として考え出されたものであり、防水パン、浴槽、壁パネル、天井等の各部材を予め成形し、施工現地にてこれら部材を組み立てるものである。
【０００３】
図１は、従来の浴室ユニットを示す概略斜視図である。浴室ユニット１は、防水パン２の片側に浴槽３を載置して、他の部分を洗い場４として使用する。防水パン２の周囲には、壁パネル５が配置されており、この壁パネル５の上に天井パネル６を乗せている。
【０００４】
洗い場４には、洗面器等を配置するようにカウンタ７が設けられ、このカウンタ７に接する壁パネル５に、鏡８、照明装置９、棚１０を配置している。水栓１１は、棚１０とカウンタ７との間に設けられ、更に、水栓１１からシャワーホースを経由してシャワー１２へと湯水を送っている。シャワー１２は、シャワーフック１３に引っ掛けられ、このシャワーフック１３は、高さを異ならせた２箇所に設けられている。
【０００５】
棚１０は、主に石鹸、シャンプー、髭剃り等の小物を置くことに使用されるものであり、一般的に鏡８と水栓１１との間に配置されることが多い。
【特許文献１】特開２０００−１８６４３３号公報  図１
【発明の開示】
【発明が解決しようとする課題】
【０００６】
しかしながら、図１に示す浴室ユニット１は、棚１０と、シャワー１２を固定するシャワーフック１３とが個々に離れて設けられており、一体感を有してはおらず、壁パネル５からの突出物が個々にあるので、使用者の注意があまりむかず、シャワーフック１３に洗面器をぶつけたり、シャワーホースで棚１０の上に載置した小物を引っ掛ける等の障害があり、デザイン的にもすっきりとしたものになっていなかった。
【０００７】
より具体的に説明すると、浴室ユニット１の使用者は、水栓１１及びこの水栓１１の下に配置されるカウンタ７に対し、かなり注意をするものの、水栓１１より上方は鏡等の平面的なものしか配置されていないという感覚を有することが多く、慣れない間は、棚１０に物をぶつける等をすることが多くなる。
【０００８】
本発明は、シャワーフックと、棚との一体感を持たせ、壁パネルからの突出部に一体感を持たせることにより、使用者の注意を引きつけ、デザインとしてもすっきりとした浴室ユニットを提供することを目的とする。
【課題を解決するための手段】
【０００９】
（１）本発明は、浴室壁面に個々に固定される左右一対のシャワーフックと、これらのシャワーフックの上部壁面にシャワーフックとは別体として固定される棚とを備え、上記シャワーフックが、フック部と、このフック部を壁面から離間させる延出部とを有し、上記棚が上記シャワーフックの延出部直上を覆い、上記棚の浴室側の縁部が左右のフック部先端を結ぶ直線または曲線を構成する浴室ユニットである。
（２）項（１）において、棚の両側端部側に左右一対のシャワーフックの延出部側面を覆う垂下壁を有する浴室ユニット。
【発明の効果】
【００１０】
本発明においては、シャワーフック上部壁面に固定される棚が、シャワーフックの延出部直上を覆い、棚の縁部が左右シャワーフック部先端を結ぶ直線または曲線を構成するので、シャワーフックと棚とに一体感を持たせ、壁パネルからの突出物を一塊であるように見せており、使用者は、この一塊となっている部分に注意を向けることから、洗面器などをぶつけることがなく、デザインもすっきりしたものとなる。
また、本発明では、棚の両側にシャワーフックを配置してあるので、他の部分との差が明確であり、一見してどの領域部分が壁パネルから突出しているのかを、理解することができる。
【００１１】
シャワーフックは、左右に配置することで、利き腕によらず、利便性の高い任意のシャワーフックを使用することができ、浴室内での無駄な動きを排除し、快適な使用空間を提供することができる。
また、シャワーフック上部壁面に固定される棚は、シャワーフックの延出部との離間距離を縮めることで、シャワーフックと略同一高さとなり、シャワーから供給される水のかかる領域が、棚の高さでは広がらず、棚の上にシャワーの湯水がかかりにくいことから、シャンプー容器が滑りにくく、無駄に石鹸を溶かすこともない。
更に、シャワーをシャワーフックに固定した場合、シャワーホースは、棚よりも下方空間にあるので、シャワーホースが棚上のシャンプー、石鹸等に当たり、棚下に落下させることもない。
【００１２】
本発明では、棚の浴室側の縁部が、左右シャワーフック部先端を結ぶ直線または曲線を構成するので、シャワーフックと、棚との、一体感をより強調することができ、デザインとしてもより洗練されたものとなる。
また、棚がシャワーフック側面を覆う垂下壁を有する場合は、この垂下壁により周囲のものとの差別化が明確になり、より一層の一体感を演出することができる。
尚、本発明のシャワーフックと、棚とは、別体であることから、各々を任意の形状、色、とすることが可能であり、強度としても、棚に直接シャワーフックを設置する場合に必要な強固且つ厚い補強板を必要としない。
【発明を実施するための最良の形態】
【００１３】
本発明に用いるシャワーフックは、フック部と、このフック部を壁面から離間させる延出部とを有するものであれば特に制限されるものではなく、延出部の壁パネルからの突出長さも特に制限されない。但し、延出部の壁パネルからの突出長さは、カウンタの壁パネルからの突出寸法以下であることが好ましい。これは、カウンタの突出寸法が、浴室内での最も注意を引く部分であり、これ以下とすることで、不用意に使用者がシャワーフックにぶつかることを阻止しやすくなるためである。
シャワーフックは、左右一対であるが、左右共に同じものとする必要はなく、左右のシャワーフックでデザインを変化させることができる。
シャワーフックの位置は、特に制限されるものではないが、壁パネルに設置した鏡と水栓との間とすることが好ましく、この間にすることで、鏡の邪魔にならず、洗髪の際などにシャンプー等を取りやすくなる。
【００１４】
本発明に用いる棚は、一対のシャワーフックの上部壁面に固定されるものであり、棚がシャワーフックの延出部直上を覆っている。棚と、延出部との離間距離は、特に制限されるものではないが、距離が近いことでより一層の一体感を持たせることができることから、１〜５０ｍｍの範囲内であることが好ましく、１ｍｍ未満であると徐々に施工がしづらくなり、５０ｍｍを超えると徐々に一体感が薄れてくる。
棚は、シャワーフックの上部壁面に固定可能であればその大きさは限定されるものでなく、材質についても特に制限はない。但し、水場にて使用するものであるので、合成樹脂成形品であることが好ましく、金属製のものを使用する場合には、防錆処理を施したものが好ましい。
棚の浴槽側縁部は、左右シャワーフックのフック部先端を結ぶ直線または曲線を構成する。曲線は、浴室側に凸形状でも、浴室側に凹形状でも良いが、棚部の載置部分面積を広げやすいことから、浴室側に凸形状であることが好ましい。
また、本発明にて述べる棚が延出部側面を覆う垂下壁は、必ずしも鉛直に垂れ下がる必要はなく、棚の載置部分から下方へと傾斜を有すれば良い。
【実施例】
【００１５】
以下、図面を用いて本発明の実施例を説明する。
図２は、本発明の浴室ユニットに用いられる棚及びシャワーフックの１実施例を示すものあり、（ａ）は平面図を示し、（ｂ）は側面図を示し、（ｃ）は斜視図を示す。本実施例では、同一形状のシャワーフック１３、１３を上面高さが同一となるように壁パネルへと固定している。棚１０は、壁パネルへと固定する接続面１４を有し、本実施例ではボルトを使用して固定している。接続面１４と対向する面、即ち、浴室側の縁部は、浴室側への凸形状である曲線形状であり、その始点及び終点をシャワーフック１３、１３のフック部１７、１７先端部を結ぶ（壁パネルからの水平方向距離が、シャワーフック１３と、棚の曲線縁部の始点及び終点とで同じ）ようにしてある。
また、棚１０は、シャワーフックの延出部１８直上を覆い、シャワーフック１３、１３と、棚１０とが一体物であるかのように見える。
シャワーフック１３と棚１０との間は、本実施例では左右共に１０ｍｍとしている。
【００１６】
図３は、図２に示すシャワーフックにシャワーを固定した際の斜視図である。図３に示すように、シャワー１２は、シャワーフック１３に固定されると、湯水を吐水させても、その湯水が棚１０の物載せ面１５にかかりにくくなっている。
また、シャワーホース１６は、棚１０よりも下方にあるため、物載せ面１５の上の小物等に引っ掛けることもない。
更に、本実施例では、棚１０の両側に各々シャワーフック１３を配置したので、浴室ユニットの使用者の利き腕によらず、使用者の都合により利便性の高いシャワーフック１３を任意に選択して使用することができる。
【００１７】
図４は、本発明の１実施例を示す浴室ユニットの概略斜視図である。浴室ユニット１は、鏡８を設置した壁パネル５に対し、水栓１１及びカウンタ７を付設してあり、鏡８と水栓１１との間に棚１０を設けている。棚１０の両脇には、シャワーフック１３、１３が配置され、棚１０がシャワーフック１３の延出部直上を覆っている。
また、本実施例では、鏡８の側方に対しても、上下に高さを変えてシャワーフック１３、１３を設けており、使用者が立ったまま、洗髪等で両手を使用しながらシャワーを浴びることができるようにしている。
更に、本実施例では、棚１０の横幅を鏡８の横幅よりも大きくし、シャワーフック１３、１３を、鏡８の左右外側に配置している。このようにすると、使用者は、シャワー１２を何れのシャワーフック１３に引っ掛けても、鏡８の全面を使用することができ、シャワー１２の鏡写りを気にすることがない。
【００１８】
尚、実施例では、棚の浴室側縁部が浴室側に突出する曲線のものを説明しているが、本発明は、これに限定されるものではなく、直線のもの、浴室側に凹んだ曲線のものを使用することもできる。
【００１９】
図５は、本発明の浴室ユニットに用いられる棚及びシャワーフックの１実施例を示すものある。本実施例では、同一形状のシャワーフック１３、１３を上面高さが同一となるように壁パネルへと固定している。棚１０は、壁パネルへと固定する接続面１４を有し、本実施例ではボルトを使用して固定している。接続面１４と対向する面、即ち、浴室側の縁部は、浴室側への凸形状である曲線形状であり、その始点及び終点をシャワーフック１３、１３のフック部１７、１７先端部を結ぶ（壁パネルからの水平方向距離が、シャワーフック１３と、棚の曲線縁部の始点及び終点とで同じ）ようにしてある。
また、棚１０は、シャワーフックの延出部１８直上を覆い、且つ、シャワーフック１３の側面を覆うように垂下壁１９を備え、シャワーフック１３、１３と、棚１０とが一体物であるかのように見える。
更に、本実施例の棚は、物載せ面１５が、シャワーフックの延出部１８を覆う面よりも一段低くし、シャワーフック１３の上面と同一高さとなるようにしている。
シャワーフック１３と棚１０との間は、本実施例では左右共に１５ｍｍとしている。
【図面の簡単な説明】
【００２０】
【図１】従来例を示す浴室ユニットの概略斜視図である。
【図２】本発明の実施例である棚及びシャワーフックを示し、（ａ）は平面図、（ｂ）は側面図、（ｃ）は斜視図を示す。
【図３】図２に示すシャワーフックにシャワーを固定した斜視図である。
【図４】本発明の実施例である浴室ユニットの概略斜視図を示す。
【図５】本発明の実施例である棚及びシャワーフックを示す。
【符号の説明】
【００２１】
１…浴室ユニット、２…防水パン、３…浴槽、４…洗い場、５…壁パネル、６…天井パネル、７…カウンタ、８…鏡、９…照明装置、１０…棚、１１…水栓、１２…シャワー、１３…シャワーフック、１４…接続面、１５…物載せ面、１６…シャワーホース、１７…フック部、１８…延出部、１９…垂下壁。
【図１】
0004772468.tif 000002
【図２】
0004772468.tif 000003
【図３】
0004772468.tif 000004
【図４】
0004772468.tif 000005
【図５】
0004772468.tif 000006